(57)【要約】【課題】余分な材料を必要とすることなく、軸状吊り下げ具への挿通部を設けることができ、しかも、商品が見えたりこぼれ落ちるようなことのない包装箱を提供する。【解決手段】包装箱１の対向する二つの壁をそれぞれ二枚の板紙が重なり合う構造とし、上記対向する二つの壁の二枚の板紙のそれぞれに軸状吊り下げ具の挿通部９を設け、この挿通部９が、壁を形成する各板紙に対して、軸状吊り下げ具の軸径を挿入することができる大きさで一部に切り離し部分のある切れ目によって形成され、かつ、各壁を形成する二枚の板紙における二つの切れ目の関係が、同軸心状の配置で互いの切り離し部分が軸心を挟む位置になるよう設けられている。【選択図】図１
2005104471.tif 000002
【特許請求の範囲】
【請求項１】
包装箱の対向する二つの壁をそれぞれ少なくとも二枚の壁部材が重なり合う構造とし、上記対向する二つの壁に軸状吊り下げ具の挿通部を設け、この挿通部が、壁を形成する各壁部材に対して、軸状吊り下げ具の軸径を挿入することができる大きさで一部に切り離し部分のある切れ目を施すことによって形成され、かつ、各壁を形成する二枚の壁部材における二つの切れ目の関係が、同軸心状の配置で互いの切り離し部分が軸心を挟む位置になるよう設けられている吊り下げ販売用の包装箱。
【発明の詳細な説明】
【技術分野】
【０００１】
この発明は、各種小物商品を収納し、軸状吊り下げ具に吊り下げた状態で販売に供する包装箱に関する。
【背景技術】
【０００２】
例えば、量販店や小売店における各種小物商品の販売形態として、紙製等の包装箱に小物商品を収納し、この包装箱を軸状吊り下げ具に吊り下げた状態で陳列し、購入者は、軸状吊り下げ具から包装箱を抜き取ることによって購入する形態が採られている。
【０００３】
上記軸状吊り下げ具に吊り下げて陳列及び販売する包装箱には、軸状吊り下げ具に対する吊り下げ部を設ける必要があり、従来のこの種包装箱としては、包装箱の上端部に吊り下げ用の舌片を突設し、この舌片に軸状吊り下げ具への挿入孔を設けたものや、上記吊り下げ用の舌片を包装箱に設けた切り起こしによって形成し、この切り起こしに挿入孔を設けたものが提案されている(例えば、特許文献１と２参照)。
【０００４】
【特許文献１】特開２００３−１６５５３１号公報(図１乃至図３)
【０００５】
【特許文献２】特開平１０−１７５６３０号公報（図１、図６）
【発明の開示】
【発明が解決しようとする課題】
【０００６】
ところで、前者の包装箱は、吊り下げ用の舌片を形成するために包装箱の材料が余分に必要となり、包装箱の製造コストがその分高くつくという問題がある。
【０００７】
また、後者の包装箱は、吊り下げ用の舌片を包装箱の一部から形成するので、余分な箱材料の発生はないが、切り起しによって形成すると、包装箱に切り起しによって孔があき、この孔から商品が見えたりこぼれ落ちるという問題がある。
【０００８】
そこで、この発明の課題は、余分な箱材料を必要とすることなく、軸状吊り下げ具への挿通部を設けることができ、しかも、商品が見えたりこぼれ落ちるようなことのない吊り下げ用の包装箱を提供することにある。
【課題を解決するための手段】
【０００９】
上記のような課題を解決するため、この発明は、包装箱の対向する二つの壁をそれぞれ少なくとも二枚の壁部材が重なり合う構造とし、上記対向する二つの壁に軸状吊り下げ具の挿通部を設け、この挿通部が、壁を形成する各壁部材に対して、軸状吊り下げ具の軸径を挿入することができる大きさで一部に切り離し部分のある切れ目を施すことによって形成され、かつ、各壁を形成する二枚の壁部材における二つの切れ目の関係が、同軸心状の配置で互いの切り離し部分が軸心を挟む位置になるよう設けられている構成を採用したものである。
【００１０】
ここで、上記包装箱は、例えば、板紙を用いて角型の箱に形成され、対向する二つの壁は、前壁と後壁であり、この前壁と後壁はそれぞれ壁部材である少なくとも二枚の板紙が重なる構造になっている。
【００１１】
また、切れ目は、例えば、一部切り離しの円形に形成され、この切れ目で囲まれた部分は切れ目の閉鎖片となり、切れ目の切り離し部分で板紙に連なっているので、切れ目で囲まれた部分を閉鎖しているが、この閉鎖片は軸状吊り下げ具による押し込みにより板紙への連なり部分から折れ曲がり、切れ目で囲まれた部分が孔となって軸状吊り下げ具の挿通が可能になる。
【発明の効果】
【００１２】
この発明によると、包装箱の対向する二つの壁に軸状吊り下げ具の挿通部を設けたので、包装箱を直接軸状吊り下げ具に吊り下げることができ、包装箱に吊り下げ用の舌片を設ける必要がなく、包装箱の材料コストを上げることがないと共に、二枚重ねの二つの壁で吊り下げ状態を保持するので、吊り下げ強度が向上する。
【００１３】
また、対向する二つの壁に設けた挿通部が、壁を形成する各壁部材に対して、一部に切り離し部分のある切れ目を施すことによって形成され、かつ、各壁を形成する二枚の壁部材における二つの切れ目の関係が、同軸心状の配置で互いの切り離し部分が軸心を挟む位置にしたので、切れ目で囲まれた部分が孔を塞ぐ閉鎖片となり、軸状吊り下げ具から抜き取った状態で、切れ目で囲まれた孔は、閉鎖片を手で押し戻すことで簡単に閉鎖され、しかも、二つの閉鎖片の壁部材への連なり部分は、相反する位置にあるので、内側の閉鎖片は収納した商品で押されても外側切れ目の壁部材への連なり部分への当接により、外方への開きが阻止され、これにより、孔から内部の商品が見えたりこぼれ出るようなことがない。
【発明を実施するための最良の形態】
【００１４】
包装箱の対向する前壁と後壁をそれぞれ少なくとも二枚の壁部材が重なり合う構造とし、上記対向する二つの壁に設けた軸状吊り下げ具の挿通部が、壁を形成する各壁部材に対して、軸状吊り下げ具の軸径を挿入することができる一部に切り離し部分のある円弧状の切れ目を施すことによって形成し、かつ、前壁を形成する二枚の壁部材と後壁を形成する二枚の壁部材における二つの切れ目の関係が、同軸心状の配置で互いの切り離し部分が軸心を挟む位置になっている。
【実施例】
【００１５】
以下、この発明の実施例を添付図面に基づいて説明する。
【００１６】
図１は包装箱の全体構造を、図２はその組み立て途中の構造を、図３は展開したブランクの状態を示し、この包装箱１は、例えば、厚紙のような板紙を用い、矩形状となる周壁２の底部を後壁３で閉鎖して容器とし、上記周壁２の前面開口を蓋となる前壁４で開閉自在とした角型の箱に形成されている。
【００１７】
上記包装箱１の具体的な構造は、周壁２の開口縁で対向する位置関係にある一組の縁における一方に、先端に差込みフラップ５を有する前壁４を連成し、同他方に周壁２の内側に沿わせる内周壁フラップ６と、後壁３の内面に重ねる後壁フラップ７を連成し、後壁３は後壁フラップ７の板紙が重なった構造になっている。
【００１８】
また、上記周壁２の開口縁で、対向する位置関係にある他の一組の縁に、内側への折り曲げフラップ８が設けられ、前壁４は閉じた状態で折り曲げフラップ８との二枚の板紙が重なった構造になる。
【００１９】
上記のような包装箱１において、対向する前壁４と後壁３の端部寄りの位置で、それぞれ二枚の壁部材となる板紙が重なり合う構造の部分に、軸状吊り下げ具の挿通部９が設けられている。
【００２０】
なお、図示の場合、包装箱１の後壁３は、四枚のフラップ３ａ乃至３ｄを折り曲げて一部が重なるように組み合わせるようにして組み立てる構造を採用し、このため、挿通部９を設ける部分の後壁３は、後壁３自体が板紙の二枚重ねの構造になっており、この二枚重ねとなるフラップ３ａと３ｂのそれぞれに挿通部９が設けてあるが、以下においては、後壁３が一枚の板紙で形成された状態で説明する。
【００２１】
この挿通部９は、前壁４と折り曲げフラップ８および後壁３と後壁フラップ７とを形成する各板紙に対して、軸状吊り下げ具Ａの軸径を挿入することができる大きさの円形で一部に切り離し部分のある切れ目を施すことによって形成され、かつ、前壁４と折り曲げフラップ８および後壁３と後壁フラップ７における二つの切れ目の関係が、同軸心状の配置で互いの切り離し部分が軸心を挟む位置になるよう設けられている。
【００２２】
従って、各挿通部９の切れ目で囲まれた部分は、軸状吊り下げ具Ａの挿通時に押し開かれて孔９ａになり、この孔９ａを塞いでいた閉鎖片９ｂは切れ目の切り離し部分が板紙との連なり部分９ｃになっているので、この連なり部分９ｃから折れ曲がり、板紙から千切れるようなことがなく、また、軸状吊り下げ具Ａが抜けた場合には、手で押し戻すようにすることで孔９ａを塞ぐ位置に簡単に戻すことができることになる。
【００２３】
なお、各挿通部９は、全て同じ大きさに形成してもよいが、包装箱１の内側に位置する後壁フラップ７と折り曲げフラップ８の挿通部９を、他の挿通部９よりも大径とし、軸状吊り下げ具Ａの挿通が容易に行うことができるようにすることができ、また、包装箱１の形成材料は、厚紙以外に樹脂板等の他の材料を用いることができ、更に、各挿通部９の形状は、図示の円形だけでなく、角形や多角形等を採用することができる。
【００２４】
この発明の包装箱１は、上記のような構成であり、図１(a)と(b)のように、周壁２と後壁３で形成された容器の内部に商品を収納し、折り曲げフラップ８を内側に折り曲げたのち、前壁４の差込みフラップ５を容器内に挿入することにより、前壁４で容器の開口を閉じた荷姿とする。
【００２５】
この包装箱１に入った商品を軸状吊り下げ具Ａに吊り下げて陳列販売するには、固定配置された軸状吊り下げ具Ａの先端に対して、後壁３の挿通部９から押し込むように差し込めばよく、図４(a)乃至(c)に示すように、後壁３の挿通部９から後壁フラップ７と折り曲げフラップ８及び前壁４の各挿通部９が軸状吊り下げ具Ａに順次進入し、包装箱１は、後壁３と前壁４の二箇所の部分で軸状吊り下げ具Ａに吊り下げられることになる。
【００２６】
実際には、後壁３に後壁フラップ７が重なり、前壁４には折り曲げフラップ８が重なったそれぞれ板紙の二枚構造になっているので、四枚の板紙で商品入り包装箱１の重量を支持することになり、吊り下げ時の強度が優れている。
【００２７】
上記軸状吊り下げ具Ａへの包装箱１の取り付け時において、各挿通部９は、軸状吊り下げ具Ａの先端で押された閉鎖片９ｂが連なり部分９ｃから倒れることで孔９ａがあくことになり、各閉鎖片９ｂは連なり部分９ｃが板紙に連なっているので千切れることはなく、しかも、後壁３には後壁フラップ７が重なり、前壁４には折り曲げフラップ８が重なった二枚構造となり、この二枚構造における挿通部９は、連なり部分９ｃが軸心を挟んで対向位置にあるので、図４（ｃ）のように閉鎖片９ｂは軸状吊り下げ具Ａを挟んで相反する方向に折れ曲がることになる。
【００２８】
図６は、上記軸状吊り下げ具Ａへ包装箱１を挿入したときの閉鎖片９ｂの折れ曲がり発生の理解を容易にするため、前壁４を一部開いて、前壁４と折り曲げフラップ８における閉鎖片９ｂの折れ曲がり状態を示している。
【００２９】
上記のような吊り下げ状態から、包装箱１を軸状吊り下げ具Ａから抜き取った状態で、包装箱１の前壁４の孔９ａは、外面側に突出している閉鎖片９ｂを手で押し戻すことで簡単に塞ぐことができる。
【００３０】
また、包装箱１の内側に突出した閉鎖片９ｂについては、軸状吊り下げ具Ａから抜き取った包装箱１の姿勢を変えることで、収納した商品が後壁フラップ７や折り曲げフラップ８に設けた挿通部９の部分に接近し、閉鎖片９ｂを包装箱１の外側に向けて押すことになり、後壁３側の孔９ａはこれによって閉鎖することになる。
【００３１】
このとき、図５ように、二枚重ねの構造における挿通部９は、連なり部分９ｃが軸心を挟んで対向位置にあるので、商品で押された内側閉鎖片９ｂは、連なり部分９ｃと反対側の開放端が外側閉鎖片９ｂの連なり部分９ｃに当接することにより、外方向への折れ曲がりが阻止され、このため、内部の収納した商品によって挿通部９に孔が開くというようなことがなく、収納した商品が包装箱１の外部から見えたり、包装箱１の外部に突出あるいはこぼれ出るというようなことがなく、商品を収納した包装箱１の持ち運びが支障なく行えることになる。
【図面の簡単な説明】
【００３２】
【図１】(a)は包装箱の前面から見た斜視図、(b)は同後面から見た斜視図
【図２】包装箱の組み立て途中の状態を示す斜視図
【図３】包装箱のブランクを示す展開図
【図４】(a)は軸状吊り下げ具に対する包装箱の挿入前の状態を示す縦断面図、(b)は同挿入途中の状態を示す縦断面図、(c)は同挿入後の状態を示す縦断面図
【図５】包装箱の要部を拡大した縦断面図
【図６】包装箱の挿通部に生じる孔を理解するための包装箱と軸状吊り下げ具の関係を示す斜視図
【符号の説明】
【００３３】
１        包装箱
２        周壁
３        後壁
４        前壁
５        差込みフラップ
６        内周壁フラップ
７        後壁フラップ
８        折り曲げフラップ
９        挿通部
９ａ      孔
９ｂ      閉鎖片
９ｃ      連なり部分
Ａ        軸状吊り下げ具
【図１】
2005104471.tif 000003
【図２】
2005104471.tif 000004
【図３】
2005104471.tif 000005
【図４】
2005104471.tif 000006
【図５】
2005104471.tif 000007
【図６】
2005104471.tif 000008